(57)【要約】【課題】例えば原子力発電所建屋のように、排液や逆流液が海水等の電解質を含む環境下で使用される床ドレンファンネルにおいて、排水管内の逆流防止用のフロート等の構成部材の電蝕を防止し、逆流防止機能を長期にわたって確保する。【解決手段】床ドレンファンネルの排水管６に、弁座部材８Ｂを有する遮断部材２１を設け、弁座部材８Ｂに連通孔８ａを形成する。遮断部材２１より下側の排水管６の内部にはフロート１４を設ける。弁座部材８Ｂは、ゴム層と、上記ゴム層の上側に重ねられたテフロン（登録商標）等の樹脂層とを含む。【選択図】図１
2014238001.tif 000002
【特許請求の範囲】
【請求項１】
長手方向を上下方向に向けた排水管を備え、上記排水管の上端開口部が、床面に形成された凹部の内部に連通する床ドレンファンネルにおいて、
上記排水管の内部には、弁座部材を有する遮断部材が設けられ、上記弁座部材には、これを上下に貫通する連通孔が形成され、上記連通孔を介して上記排水管における上記遮断部材より下側部分の内部と上記凹部の内部とが連通され、かつ上記連通孔の内周面が弁座を構成しており、
上記遮断部材より下側の上記排水管の内部には、気体によっては浮上せず、液体によって浮上するフロートが上下方向へ移動可能に設けられ、
上記排水管の内部には、上記フロートを上記遮断部材ひいては上記弁座より所定距離だけ下側に離間した位置において上方へ移動可能に、かつ下方へ移動不能に支持するとともに、液体の流通を許容する支持部材が設けられ、
上記支持部材から上方へ移動した上記フロートが上記弁座に着座することにより、上記連通孔が閉じられて、上記排水管における上記遮断部材より下側部分の内部と上記凹部の内部とが遮断され、
上記弁座部材が、ゴム層と、上記ゴム層の上側に重ねられた樹脂層とを含むことを特徴とする床ドレンファンネル。
【請求項２】
上記樹脂層が、テフロン(登録商標)にて構成されていることを特徴とする請求項１に記載の床ドレンファンネル。
【請求項３】
上記弁座部材の下面には、ガイド孔を有する取付板が固定され、上記ガイド孔は、上記弁座に着座したフロートが上記ガイド孔の内周面に接触することがない大きさであり、上記取付板には上下に延びる３つ以上の支持ボルトの上端部が固定され、上記支持ボルトの下端部が上記支持部材に固定され、上記支持ボルトの外周には、樹脂製の保護チューブが設けられていることを特徴とする請求項１又は２に記載の床ドレンファンネル。
【請求項４】
上記保護チューブが、テフロン(登録商標)にて構成されていることを特徴とする請求項３に記載の床ドレンファンネル。
【請求項５】
上記支持部材が、金属製の支持板と、上記支持板の上面に設けられた樹脂製の接触板又は樹脂製のコーティングとを有し、上記支持板及び上記接触板又はコーティングには支持孔が上下に貫通するように形成されていることを特徴とする請求項１〜４の何れか１項に記載の床ドレンファンネル。
【請求項６】
前記接触板又はコーティングが、テフロン（登録商標）にて構成されていることを特徴とする請求項５に記載の床ドレンファンネル。
【発明の詳細な説明】
【技術分野】
【０００１】
この発明は、床にこぼれた汚染水その他の排水を外部に排出するための床ドレンファンネルに関する。
【背景技術】
【０００２】
一般に、床ドレンファンネルは、下記特許文献１に記載されているように、床面に設けられている。すなわち、床面には凹部が設けられており、凹部の底面には排水管が設けられている。排水管の内部には、遮断部材が設けられている。この遮断部材により、それより下側の排水管の内部と上側の内部とが遮断されている。ただし、遮断部材には、連通孔が形成されており、この連通孔により遮断部材より下側の排水管の内部と上側の内部とが連通されている。遮断部材より上側の排水管の内部には、フロートが上下方向へ移動可能に設けられている。フロートは、通常時には連通孔の上端開口部に着座して連通孔を閉じているが、排水が排水管内にその上端開口部から流入すると、その排水によって浮上させられて連通孔を開く。この結果、排水が連通孔を通り抜け、さらに排水管を通って外部に排出される。
【先行技術文献】
【特許文献】
【０００３】
【特許文献１】特開２００２−１１６２８９号公報
【発明の概要】
【発明が解決しようとする課題】
【０００４】
上記従来の床ドレンファンネルにおいては、排水管から排水が逆流してくると、その逆流する排水によってフロートが遮断部材から上方へ浮上させられ、連通孔を開いてしまう。その結果、逆流した排水が排水管及び凹部を通って室内の床面上に溢れ出るおそれがあった。
【課題を解決するための手段】
【０００５】
この発明は、上記の問題を解決するために、長手方向を上下方向に向けた排水管を備え、上記排水管の上端開口部が、床面に形成された凹部の内部に連通する床ドレンファンネルにおいて、上記排水管の内部には、弁座部材を有する遮断部材が設けられ、上記弁座部材には、これを上下に貫通する連通孔が形成され、上記連通孔を介して上記排水管における上記遮断部材より下側部分の内部と上記凹部の内部とが連通され、かつ上記連通孔の内周面が弁座を構成しており、上記遮断部材より下側の上記排水管の内部には、気体によっては浮上せず、液体によって浮上するフロートが上下方向へ移動可能に設けられ、上記排水管の内部には、上記フロートを上記遮断部材ひいては上記弁座より所定距離だけ下側に離間した位置において上方へ移動可能に、かつ下方へ移動不能に支持するとともに、液体の流通を許容する支持部材が設けられ、上記支持部材から上方へ移動した上記フロートが上記弁座に着座することにより、上記連通孔が閉じられて、上記排水管における上記遮断部材より下側部分の内部と上記凹部の内部とが遮断され、上記弁座部材が、ゴム層と、上記ゴム層の上側に重ねられた樹脂層とを含むことを特徴としている。
この場合、上記樹脂層が、テフロン(登録商標)にて構成されていることが望ましい。
上記弁座部材の下面には、ガイド孔を有する取付板が固定され、上記ガイド孔は、上記弁座に着座したフロートが上記ガイド孔の内周面に接触することがない大きさであり、上記取付板には上下に延びる３つ以上の支持ボルトの上端部が固定され、上記支持ボルトの下端部が上記支持部材に固定され、上記支持ボルトの外周には、樹脂製の保護チューブが設けられていることが望ましい。
上記保護チューブが、テフロン(登録商標)等の樹脂にて構成されていることが望ましい。
上記支持部材が、金属製の支持板と、上記支持板の上面に設けられた樹脂製の接触板又は樹脂製のコーティングとを有し、上記支持板及び上記接触板又はコーティングには支持孔が上下に貫通するように形成されていることが望ましい。
前記接触板又はコーティングが、テフロン（登録商標）等の樹脂にて構成されていることが望ましい。
【発明の効果】
【０００６】
上記特徴構成を有するこの発明によれば、排水管内を外部の排水が逆流すると、支持部材に支持されたフロートが、逆流した排水によって上方へ移動させられ、連通孔の下側の開口部に着座させられる。これにより、連通孔が閉じられる。したがって、逆流した排水が凹部内に入り込むことが防止され、ひいては室内に溢れ出ることが防止される。
【図面の簡単な説明】
【０００７】
【図１】図１は、この発明の第１実施の形態を示す縦断面図である。
【図２】図２は、この発明の第２実施の形態の要部を示す縦断斜視図である。
【図３】図３は、この発明の第３実施の形態の要部を示す縦断斜視図である。
【図４】図４は、この発明の第４実施の形態の要部を示す縦断斜視図である。
【図５】図５は、この発明の第５実施の形態の要部を示す半断面図である。
【図６】図６は、同実施の形態の要部を切り欠いて示す斜視図である。
【発明を実施するための形態】
【０００８】
以下、この発明を実施するための最良の形態を、図面を参照して説明する。
図１は、この発明の第１実施の形態を示す。この実施の形態の床ドレンファンネルＡは、例えば原子力発電所の建屋の床Ｆに設けられるものであり、床面Ｆａには、凹部１が形成されている。凹部１は、平面視円形状をなしているが、平面視四角形に形成してもよい。凹部１には、上部が開口したケーシング２が挿入固定されている。ケーシング２は、凹部１に隙間なく嵌め込まれている。したがって、ケーシング２の内部が凹部１の実質的な内部空間になっている。
【０００９】
ケーシング２の上端部内周面には、環状をなす支持板３が全周にわたって固定されている。支持板３には、ファンネル蓋４が着脱可能に載置されている。ファンネル蓋４によってケーシング２の上端開口部が閉じられている。ファンネル蓋４には、これを上下に貫通する多数の貫通孔４ａが形成されている。ファンネル蓋４の下面には、上部が開放された容器状のストレーナ５が固定されている。ストレーナ５の周壁部には、これを水平方向に貫通する多数の貫通孔５ａが形成されている。
【００１０】
床面Ｆａ上の排水は、ケーシング２内にその上端開口部から入り込み、ファンネル蓋４の貫通孔４ａを通ってストレーナ５内に流入する。ストレーナ５に流入した排水は、貫通孔５ａを通ってストレーナ５からケーシング２内に入り込む。排水に含まれる比較的大きなゴミは、排水が貫通孔４ａ及び貫通孔５ａを通るときに排水から取り除かれる。したがって、比較的大きなゴミがケーシング２内に入り込むことがない。これにより、後述する排水管６がその途中のいずれかの箇所において詰まるような事態が未然に防止されている。
【００１１】
ケーシング２の底部２ａの中央部には、これを上下に貫通する貫通孔２ｂが形成されている。この貫通孔２ｂと対向する床（地中）には、排水管６が埋設されている。排水管６は、少なくとも上端部が長手方向を上下方向に向けて配置されている。排水管６の上端部は、貫通孔２ｂの内周面に封止状態で嵌合固定されている。排水管６は、その上端面が底部２ａの上面と同一平面上に位置するように配置されているが、後述する実施の形態のように、その上端部を底部２ａから上方へ突出させた状態で配置してもよい。
【００１２】
底部２ａの上面には、取付部材７が設けられている。取付部材７は、環状をなしており、その軸線を排水管６の軸線と一致させて配置されている。しかも、取付部材７の内径は、排水管６の内径より若干大径で、かつ排水管６の外径より小径であり、外径は排水管６の外径より大径になっている。この結果、取付部材７の内周部が排水管６の上面に接触し、外周部が底部２ａと接触している。取付部材７の外周部は、全周にわたって底部２ａに溶接固定されている。したがって、取付部材７と底部２ａとの間は、封止されており、それらの間を排水や空気が流通することがない。
【００１３】
取付部材７の上面には、遮断部材８が載置され、ボルトＢ１によって固定されている。遮断部材８は、本体部材８Ａと弁座部材８Ｂとを有している。本体部材８Ａは、例えばステンレス鋼等の金属板からなるものであり、取付部材７の上面に載置され、ボルトＢ１によって取付部材７に固定されている。取付部材７と本体部材８Ａとの間は、Ｏリング等のシール部材Ｓによって封止されている。この結果、排水管６の内部とケーシング２の内部との間が、遮断部材８によって密封状態で遮断されている。
【００１４】
本体部材８Ａの下面には、弁座部材８ＢがボルトＢ２によって固定されている。弁座部材８Ｂは、テフロン(登録商標)層とゴム層とを上下に重ねて平板状に形成してなるものであり、ゴム層が下側に配置されている。弁座部材８Ｂの外径は取付部材７の内径と同等か若干小径になっている。
【００１５】
本体部材８Ａ及び弁座部材８Ｂには、それらを上下に貫通する連通孔８ａが形成されている。この連通孔８ａにより、排水管６の内部とケーシング２の内部とが連通されている。連通孔８ａは、その軸線を排水管６の軸線と一致させて配置されている。連通孔８ａのうちの弁座部材８Ｂに形成された部分の下部内周面には、弁座８ｂが形成されている。この弁座８ｂは、連通孔８ａの軸線上に中心を位置させた凹球面の一部によって構成されている。
【００１６】
弁座部材８Ｂの下面には、取付板９がボルトＢ２によって押圧固定されている。取付板９の中央部には、ガイド孔９ａが形成されている。ガイド孔９ａは、その軸線を連通孔８ａの軸線と一致させて配置されている。ガイド孔９ａは、後述するフロート１４が上方へ移動したときに、フロート１４をガイドして弁座８ｂに確実に着座させるためにものであり、上方へ向かって小径になるようにテーパ状に形成されている。しかも、ガイド孔９ａの内径は、弁座８ｂに着座したフロート１４がガイド孔９ａの内周面に接触することがないように、その大きさが設定されている。
【００１７】
取付板９には、長手方向を上下方向に向けた支持ボルト１０の上端部が螺合固定されている。支持ボルト１０は、三つ以上（この実施の形態では四つ）設けられている。各支持ボルト１０は、連通孔８ａの軸線を中心とする仮想の円周上に周方向へ等間隔だけ離れて配置されている。しかも、支持ボルト１０は、その外周に嵌合されたテフロン（登録商標）等の樹脂からなら保護チューブ１１に内接する円の直径がフロート１４の外径とほぼ同等か若干大径になるように配置されている。
【００１８】
支持ボルト１０の大部分は、排水管６の内部に入り込んでいる。排水管６内に入り込んだ支持ボルト１０の下端部には、支持部材１２が固定されている。支持部材１２は、金属製の支持板１２Ａと、テフロン（登録商標）等の樹脂からなる接触板１２Ｂとを有している。支持板１２Ａ及び接触板１２Ｂとは、その順に下から重ねられており、水平に配置されている。そして、支持ボルト１０にナット１３によって固定されている。支持板１２Ａ及び接触板１２には、それらの中央部を上下に貫通する支持孔１２ａが形成されている。支持部材１２は、支持板１２Ａだけで構成し、支持板１２Ａの上面にテフロン（登録商標）樹脂をコーティングした構造としてもよい。あるいは、支持板１２Ａの支持孔１２ａの近傍部分及び支持孔１２ａの上端開口部だけをコーティングした構造としてもよい。
【００１９】
支持部材１２の接触板１２Ｂと遮断部材８の弁座部材８Ｂとの間には、フロート１４が上下方向へ移動可能に設けられている。フロート１４は、金属又は樹脂によって中空の球体として形成されている。フロート１４は、空気中に浮かぶことがなく、かつ水に浮かぶような重量を有している。そのような重量を有するものであれば、中実な内部構造を有していてもよい。フロート１４の外径は、弁座８ｂを構成する凹球面の直径と同一に設定されている。したがって、フロート１４が上方へ移動して弁座８ｂに着座すると、連通孔８ａがフロート１４によって閉じられる。その結果、排水管６の内部とケーシング２の内部との間が、遮断部材８及びフロート１４によって遮断される。
【００２０】
フロート１４は、上記のように、４本の支持ボルト１０の間に配置されており、各支持ボルト１０に装着された保護チューブ１１の内接円の直径とほぼ同一の外径を有している。したがって、フロート１４は、上下方向へ移動するときには支持ボルト１０によってガイドされ、水平方向へはほとんど移動することがなく、上下方向へのみ移動する。フロート１４は、通常時、つまり排水の逆流時以外のときには、支持孔１２ａの上端開口部に着座し、支持部材１２によって支持されている。その一方、排水管６内を排水が逆流すると、逆流する排水によって上方へ移動させられ、弁座８ｂに着座する。
【００２１】
上記構成の床ドレンファンネルＡの作用を説明する。床面Ｆａ上の排水がケーシング２の開口部に流れ込むと、排水はファンネル蓋４の貫通孔４ａを通ってストレーナ５内に入り、さらにストレーナ５の貫通孔５ａを通ってケーシング２内に入り込む。そして、排水がケーシング２の底部２ａ上に溜まる。排水がケーシング２内において所定量以上溜まると、所定量を越えた分の排水が、連通孔８ａを通って排水管６内に流入する。そして、排水管６内を下方に流れて外部に排出される。
【００２２】
外部の排水が排水管６内を通って逆流した場合には、逆流した排水によってフロート１４が上方へ移動させられて弁座８ｂに着座する。この結果、連通孔８ａがフロート１４によって閉じられ、ひいては排水管６の内部とケーシング２の内部との間が遮断される。したがって、排水管６内を排水が逆流したとしても、その排水がケーシング２内に入り込むことはほとんどない。よって、外部の排水が室内に溢れ出ることを確実に防止することができる。
【００２３】
次に、この発明の他の実施の形態について説明する。なお、以下の実施の形態については、上記実施の形態と異なる構成だけを説明することとし、上記実施の形態と同様な構成部分には同一符号を付してその説明を省略する。
【００２４】
図２は、この発明の第２実施の形態を示す。この実施の形態の床ドレンファンネルＢにおいては、排水管６の上端部が、ケーシング２の底部２ａから内部に突出させられている。排水管６の上端部内周面には、遮断部材２１が嵌合され、溶接その他の手段によって固定されている。遮断部材２１の中央部には、これを上下方向に貫通する連通孔２１ａが形成されており、連通孔２１ａの下端部には弁座２１ｂが形成されている。
【００２５】
遮断部材２１の下面には、支持部材２２が設けられている。支持部材２２は、二つのＵ字部材２２Ａ，２２Ｂからなるものであり、各Ｕ字部材２２Ａ，２２Ｂの上端部が遮断部材２１の下面に固定されている。二つのＵ字部材２２Ａ，２２Ｂは、周方向の位相が互いに９０°だけ異なるように配置されている。水封蓋２３は、有底筒状をなしており、その開口部を下方に向けるとともに、その軸線を排水管６の軸線と一致させた状態で配置されている。水封蓋６の内部には、ケーシング２の底部２ａから上方へ突出した排水管６の上端部が収容されている。水封蓋２３の下端面は、底部２ａに載置されている。これにより、ケーシング２の内部が、水封蓋２３の外側の部分と内側の部分とに区分されている。ただし、水封蓋２３の下端部には、凹部（連通部）２３ａが形成されている。この凹部２３ａにより、ケーシング２の内部のうちの水封蓋２３より外側の部分と内側の部分とが連通されている。凹部２３ａの深さ（上下方向の寸法）は、底部２ａからの排水管６の突出量より小さい寸法に設定されている。凹部２３ａに代えて、水封蓋２３の周壁部に貫通孔を形成してもよい。
【００２６】
なお、この床ドレンファンネルＢにおいては、ファンネル蓋４の上面がケーシング２の上面及び床面Ｆａと同一平面上に位置させられているが、第１実施の形態と同様に、ケーシング２の上面より若干下側に位置させてもよい。また、この床ドレンファンネルＢにおいては、上記実施の形態のストレーナ５が設けられていないが、ストレーナ５を設けてもよい。これらの点は、以下に述べる第３及び第４実施の形態においても同様である。
【００２７】
上記構成の床ドレンファンネルＢにおいて、ケーシング２内に排水が流入すると、水封蓋２３の内外において排水が溜まる。排水は、その水位が排出管６の突出高さと等しくなるまで溜まる。ここで、凹部２３ａの深さが排水管６の突出高さより浅いから、排水が排水管６の突出高さまで溜まると、凹部２３ａ全体が排水内に埋没する。この結果、排水管６の内部と水封蓋２３の外側に位置するケーシング２の内部との間が、ケーシング２内に溜まった排水によって遮断される。したがって、外部の空気が排出管６内を逆流してケーシング２内に入り込むことがなく、まして室内に入り込むことがない。
【００２８】
ケーシング２内に溜まった排水の水位が排水管６の突出高さより高くなると、その高くなった分の排水が排水管６にその上端開口部から流入する。そして、排水管６を通って外部に排出される。
【００２９】
また、排水管６内を排水が逆流した場合には、上記の実施の形態と同様にフロート１４が弁座２１ｂに着座して連通孔２１ａを閉じる。したがって、逆流した排水が室内に入り込むことを確実に防止することができる。
【００３０】
図３は、この発明の第３実施の形態を示す。この実施の形態の床ドレンファンネルＣは、第２実施の形態の床ドレンファンネルＢを変形したものであり、支持部材２２に代えて支持部材２４が用いられている。支持部材２４は、上端が開口し、下端部が底部２４ａによって閉じられた有底筒状をなしている。支持部材２４は、その軸線を排水管６の軸線と一致させて配置されており、その上端部が遮断部材２１の下面にシール状態で固定されている。この結果、排水管６の内部が支持部材２４によりそれより上側の部分と下側の部分とに区分されており、上側の部分と下側の部分とは、支持部材２４によって遮断されている。ただし、支持部材２４の底部２４ａの中央部には、貫通孔（第２連通孔）２４ｂが形成されている。この貫通孔２４ｂにより、排水管６の支持部材２４より下側の部分と支持部材２４の内部とが連通され、ひいては排水管６の支持部材２４より上側の部分と下側の部分とが貫通孔２４ｂ及び支持部材２４の内部を介して互いに連通されている。
【００３１】
支持部材２４の内部には、上記フロート１４が収容されている。支持部材２４の内径は、フロート１４の外径とほぼ同一か、若干大径に設定されている。したがって、フロート１４は上下方向へ移動可能であり、上下方向への移動時には支持部材２４の内周面によって上下方向へガイドされる。
【００３２】
支持部材２４の底部２４ａの中央部には、貫通孔（第２連通孔）２４ｂが形成されている。貫通孔２４ｂの上端開口部には、フロート１４が着座している。フロート１４は、排水管６内を逆流する空気によっては浮上させられることがないような重さを有している。したがって、外部の空気が排水管６内を逆流してケーシング２内に入り込むことがない。
【００３３】
上記構成の床ドレンファンネルＣにおいて、排水が連通孔２１ａを通って排水管６内に入り込むと、全ての排水が支持部材２４内に入り込む。そして、支持部材２４の底部２４ａ上に溜まる。すると、フロート１４が浮上して貫通孔２４ｂを開く。この結果、排水が貫通孔２４ｂを通って排水管６の下側へ流下し、排水管６を通って外部に排出される。
【００３４】
フロート１４が貫通孔２４ｂに着座した状態では、貫通孔２４ｂが閉じられ、ひいては支持部材２４より下側の排水管６の内部と水封蓋２３より外側のケーシング２の内部との間が遮断されている。したがって、仮にケーシング２内の排水が蒸発して水封蓋２３の外側に位置するケーシング２の内部と排水管６の上端開口部とが連通したとしても、外部の空気が排水管６内を逆流して室内に入り込むことがない。
【００３５】
外部の排水が排水管６を通って逆流した場合には、その逆流した排水によってフロート１４が浮上させられて貫通孔２４ｂを開く。したがって、外部の排水は、貫通孔２４ｂを通って支持部材２４内に入り込む。しかし、浮上したフロート１４は、遮断部材２１の弁座２１ｂに着座して連通孔２１ａを閉じる。したがって、外部の排水は支持部材２４内において止められ、連通孔２１ａを通ってケーシング２内に入り込むことがほとんどない。まして、逆流した排水が室内に溢れ出ることがない。
【００３６】
図４は、この発明の第４実施の形態を示す。この実施の形態の床ドレンファンネルＤは、上記第２実施の形態の床ドレンファンネルＢを変形したものであり、遮断部材２１が排水管６の上端面から所定距離だけ下方に配置固定されている。これに対応して、支持部材２２及びフロート１４が第２実施の形態のそれらに対して所定距離だけ下方に配置されている。
【００３７】
排水管６の上端部には、その直径線上を一側部から他側部まで延びるストッパ部材２５が設けられている。このストッパ部材２５と遮断部材２１との間に位置する排水管６の内部には、第２フロート２６が上下方向へ移動可能に収容されている。第２フロート２６は、フロート１４と同様に、排水等の液体には浮くが、空気には浮くことのない重さを有している。第２フロート２６は、連通孔２１ａの上端開口部に着座、離間可能に着座しており、連通孔２１ａの上端開口部に着座することによって連通孔２１ａを閉じ、上端開口部から上方へ離間すると連通孔２１ａを開く。なお、第２フロート２６が連通孔２１ａの上端開口部に着座すると同時に、フロート１４が連通孔２１ａの弁座２１ｂに着座したとしても、フロート１４と第２フロート２６が突き当たることがないように、連通孔２１ａの上下の長さが設定されている。また、第２フロート２６は、ストッパ部材２５に突き当たることにより、それ以上の上方への移動が阻止されている。
【００３８】
上記構成の床ドレンファンネルＤにおいて、ケーシング２内に入った排水が排水管６にその上端開口部から入り込むと、第２フロート２６が浮上して連通孔２１ａを開く。したがって、排水は連通孔２１ａを通って排水管６の下側へ流れ、排水管６から外部に排出される。
【００３９】
また、仮にケーシング２内に溜まっている排水が蒸発して水封蓋２３の内部と外部とが凹部２３ａを介して連通したとしても、連通孔２１ａの上端開口部に着座した第２フロート２６が連通孔２１ａを閉じている。したがって、外部の空気が逆流して室内に入り込むことを防止することができる。
【００４０】
さらに、排水管６内を外部の排水が逆流した場合には、逆流した排水によって第２フロート２６が連通孔２１ａの上端開口部から浮上させられるが、これとほとんど同時にフロート１４が浮上して弁座２１ｂに着座し、連通孔２１ａを閉じる。したがって、排水管６内を逆流した排水がケーシング２内に浸入し、ひいては室内に溢れ出ることを防止することができる。
【００４１】
図５及び図６は、この発明の第５実施の形態を示す。この実施の形態の床ドレンファンネルＥにおいては、排水管６が互いに別体である上管部６Ａ、下管部６Ｂ及び連結管部６Ｃを有している。上管部６Ａ、下管部６Ｂ及び連結管部６Ｃは、上から下方に向かって上管部６Ａ、連結管部６Ｃ及び下管部６Ｂの順に配置されている。しかも、上管部６Ａ、下管部６Ｂ及び連結管部６Ｃは、上管部６Ａの下端部の軸線と、下管部６Ｂの上端部の軸線と、連結管部６Ｃの軸線とがいずれも上下方向を向き、かつ互いに一致するように配置されている。
【００４２】
上管部６Ａの上端部は、上記第２〜第４実施の形態と同様に、ケーシング２の底部２ａの貫通孔２ｂを貫通してケーシング２内に入り込んでいる。一方、下管部６ｂの下端部は、外部に連通されている。
【００４３】
連結管部６Ｃの上端部は、上管部６Ａの下端部に連結固定されている。すなわち、上管部６Ａの外周面の下端部には、フランジ部材６１が溶接その他の固定手段により全周にわたって固定されている。一方、連結管部６Ｃの外周面の上端部には、フランジ部材６２が溶接その他の手段により全周にわたって固定されている。フランジ部材６１，６２は、それらを上下に貫通するボルトＢ３及びこのボルトＢ３に螺合されたナットＮ３によって押圧固定さている。これによって、上管部６Ａと連結管部６Ｃとが連結固定されている。
【００４４】
連結管部６Ｃの下端部は、下管部６Ｂの上端部に連結固定されている。すなわち、下管部６Ｂの外周面の上端部には、フランジ部材６３が溶接その他の手段によって固定されている。一方、連結管部６Ｃの外周面の下端部には、フランジ部材６４が溶接その他の手段によって固定されている。フランジ部材６３，６４は、それらを上下に貫通するボルトＢ４及びこのボルトＢ４に螺合されたナットＮ４によって押圧固定されている。これによって、下管部６Ｂと連結管部６Ｃとが連結固定されている。
【００４５】
フランジ部材６１，６２間には、上から下に向かってパッキン３１、支持板３２、パッキン３３、遮断部材３４及びパッキン３５が順次配置されている。パッキン３１、支持板３２、パッキン３３、遮断部材３４及びパッキン３５は、フランジ部材６１，６２によって挟持されている。したがって、フランジ部材６１，６２は、実際にはパッキン３１、支持板３２、パッキン３３、遮断部材３４及びパッキン３５を介して押圧固定されている。フランジ部材６１と支持板３２との間がパッキン３１によって封止され、支持板３２と遮断部材３４との間がパッキン３３によって封止され、遮断部材３４とフランジ部材６２との間がパッキン３５によって封止されている。この結果、上管部６Ａと連結管部６Ｃとの間が封止されている。
【００４６】
フランジ部材６３，６４間には、パッキン３６が配置されている。つまり、フランジ部材６３，６４がパッキン３６を介して押圧固定されている。また、フランジ部材６３，６４間がパッキン３６によって封止され、これによって下管部６Ｂと連結管部６Ｃとの間が封止されている。
【００４７】
遮断部材３４は、筒部３４ａを有しており、筒部３４ａは連結管部６Ｃの内部に入り込んでいる。筒部３４ａの下端部には、底部３４ｂが形成されている。この底部３４ｂの中央部には、弁座孔（連通孔）３４ｃが形成されている。弁座孔３４ｃは、その軸線を連結筒部６Ｃの軸線と一致させて配置されている。
【００４８】
底部３４ｂの下面の外周部には、一対のＵ字部材２２Ａ，２２Ｂからなる支持部材２２の上端部が固定されている。支持部材２２によってフロート１４が上方へ移動可能に支持されている。フロート１４が所定の位置まで上方へ移動すると、弁座孔３４ｃの下端開口部に着座する。フロート１４が弁座孔３４ｃに着座すると、連結管部６Ｃの内部が閉じられ、ひいては排水管６が閉じられる。
【００４９】
連結管部６Ｃには、その外周面から内周面まで貫通する窓孔６ａが形成されている。この窓孔６ａは、フロート１４の状態、つまりフロート１４が支持部材２２によって支持されているか、弁座孔３４ｃに着座しているかを確認するためのものであり、上下方向には支持部材２２によって支持されたフロート１４とほぼ同一位置に配置されている。窓孔６ａの上下方向の長さは、フロート１４の外径とほぼ同一長さに設定されている。したがって、フロート１４が支持部材２２に支持されているときには、フロート１４のほぼ全体が窓孔６ａから目視することができる。その一方、フロート１４が弁座孔３４ｃに着座すると、フロート１４の下側のほぼ半分だけが窓孔６ａから目視される。これにより、フロート１４が弁座孔３４ｃに着座していることが確認される。窓孔６ａは、透明な樹脂板３７によって密封されている。
【００５０】
なお、この発明は、上記の実施の形態に限定されるものでなく、その要旨を逸脱しない範囲において各種の変形例を採用可能である。
例えば、上記の実施の形態においては、支持部材１２，２４を排水管６に遮断部材８，２１を介して取り付けているが、支持部材１２，２４は排水管６に直接取り付けてもよい。
【符号の説明】
【００５１】
Ａ    床ドレンファンネル
Ｂ    床ドレンファンネル
Ｃ    床ドレンファンネル
Ｄ    床ドレンファンネル
Ｅ    床ドレンファンネル
１    凹部
２    ケーシング
６    排水管
８    遮断部材
８ａ    連通孔
１２    支持部材
１４    フロート
２１    遮断部材
２２    支持部材
２３    水封蓋
２３ａ    凹部（連通部）
２４    支持部材
２４ａ    貫通孔（第２連通孔）
２６    第２フロート
【図１】
2014238001.tif 000003
【図２】
2014238001.tif 000004
【図３】
2014238001.tif 000005
【図４】
2014238001.tif 000006
【図５】
2014238001.tif 000007
【図６】
2014238001.tif 000008